(57)【要約】【課題】歯磨きの際に生ずる液だれや喉突き等の種々の問題を解決しつつ、歯磨きを嫌がる子供に対し歯磨きに興味も持たせるようにしつつ、さらに、意匠性の高い子供用歯ブラシを提供する。【解決手段】ハンドル部５は、胴体部５１とこれに連接する頭部５２とからなる人形状で構成され、鍔部３は、ブリム部３１とブリム部３１の略中央部分に形成されブラシ部４を挿通させる嵌合孔５２からなり、鍔部３は、歯ブラシ本体２を立設した状態で歯ブラシ本体２に装着すると頭部５２の上に載置された帽子のような外観を呈するように構成している。【選択図】図１
2019118659.tif 000002
【特許請求の範囲】
【請求項１】
ブラシ部と、ハンドル部と、からなる歯ブラシ本体と、該歯ブラシ本体に着脱可能に装着される鍔部とからなる子供用歯ブラシであって、
前記ハンドル部は、胴体部とこれに連接する頭部とからなる人形状あるいは擬人化した動物形状で構成され、
前記鍔部は、ブリム部と該ブリム部の略中央部分に形成され前記ブラシ部を挿通させる嵌合孔からなり、
前記鍔部は、前記歯ブラシ本体を立設した状態で該歯ブラシ本体に装着すると前記頭部の上に載置された帽子のような外観を呈すること
を特徴とする子供用歯ブラシ。
【請求項２】
前記ブラシ部は、前記ハンドル部に対し着脱自在に構成されていることを特徴とする請求項１に記載の子供用歯ブラシ。
【発明の詳細な説明】
【技術分野】
【０００１】
本発明は、子供用歯ブラシに関する。
【背景技術】
【０００２】
従来から、子供用歯ブラシは種々のものが開発されている。例えば、歯磨きをする際に唾液や歯磨き粉がブラシ部材及び柄部材を伝って手まで垂れ落ち、場合によっては衣服の袖口を汚すことがあることから、これを防止するような特許文献１に記載の電動歯ブラシがある。この電動歯ブラシは、柄部材の手で握られる領域とブラシ部材の口の中に入れられる領域との間に設けられる水切り用のつば部材を備えることにより、上述のようないわゆる液だれを防止している。
【０００３】
その他にも、乳幼児が歯ブラシをくわえ込んだ場合でも、先端のブラシ部が喉の奥まで届かないようにした（喉突き防止）特許文献２に記載の乳幼児用歯ブラシのようなものもある。この乳幼児用歯ブラシは、歯ブラシ本体に鍔状プレートを装着することにより喉突き防止を図っている。この乳幼児用歯ブラシの構造をみると、上述した液だれも防止することができると考えられる。
【０００４】
上記した歯ブラシは、歯磨きをする際に生ずる種々の問題を解決するものであるが、乳幼児は歯磨きそのものを嫌がる傾向があり、乳幼児の歯磨き習慣を身に着けることを課題としたものとして、特許文献３に記載の歯ブラシ及び歯ブラシセットがある。ここには、歯ブラシ柄をキリンの胴部及び両前足部に対応する把持部としたり、キャップを前記キリンの顔部及び後頭部に対応するように構成したりして歯ブラシに興味を持たせるようにしている。
【先行技術文献】
【特許文献】
【０００５】
【特許文献１】実開平７−３０７５１号公報
【特許文献２】特開２０１４−２１７４００号公報
【特許文献３】実用新案登録第３１６２２４７号公報
【発明の概要】
【発明が解決しようとする課題】
【０００６】
上述したとおり、乳幼児用、子供用歯ブラシには種々の歯ブラシはあるが、歯磨きの際に生ずる種々の問題を解決しつつ、歯磨きに対する興味も持たせるようにしつつ、さらに、携帯性にも便利で、かつ、意匠性も高い子供用歯ブラシは今まで存在しなかった。
【０００７】
そこで、本発明はこのような問題を解決するためになされたものであり、その目的とするところは、歯磨きの際に生ずる種々の問題を解決しつつ、歯磨きに対する興味も持たせるようにしつつ、さらに、携帯性にも便利で、かつ、意匠性も高い子供用歯ブラシを提供することにある。
【課題を解決するための手段】
【０００８】
前記の目的を達成するため、本発明の子供用歯ブラシは、ブラシ部と、ハンドル部と、からなる歯ブラシ本体と、該歯ブラシ本体に着脱可能に装着される鍔部とからなる子供用歯ブラシであって、前記ハンドル部は、胴体部とこれに連接する頭部とからなる人形状あるいは擬人化した動物形状で構成され、前記鍔部は、ブリム部と該ブリム部の略中央部分に形成され前記ブラシ部を挿通させる嵌合孔からなり、前記鍔部は、前記歯ブラシ本体を立設した状態で該歯ブラシ本体に装着すると前記頭部の上に載置された帽子のような外観を呈することを特徴とする。
【０００９】
前記ブラシ部は、前記ハンドル部に対し着脱自在に構成されていてもよい。
【発明の効果】
【００１０】
本発明の子供用歯ブラシは、ブラシ部と、ハンドル部と、からなる歯ブラシ本体と、該歯ブラシ本体に着脱可能に装着される鍔部とからなる子供用歯ブラシであって、ハンドル部は、胴体部とこれに連接する頭部とからなる人形状あるいは擬人化した動物形状で構成され、鍔部は、ブリム部と該ブリム部の略中央部分に形成され前記ブラシ部を挿通させる嵌合孔からなり、前記鍔部は、前記歯ブラシ本体を立設した状態で該歯ブラシ本体に装着すると前記頭部の上に載置された帽子のような外観を呈するように構成した。これにより、歯磨きの際に生ずる液だれや喉突き等の種々の問題を解決しつつ、歯磨きを嫌がる子供に対し歯磨きに興味も持たせるようにしつつ、さらに、携帯にも便利で、かつ、意匠性も高い子供用歯ブラシを提供することができるといった効果を奏する。
【図面の簡単な説明】
【００１１】
【図１】本発明に係る子供用歯ブラシの実施形態を示す図であり、（ａ）は正面図、（ｂ）は背面図、（ｃ）は左側面図、（ｄ）は右側面図である。
【図２】本発明に係る子供用歯ブラシの実施形態を示す図であり、（ａ）は斜視図、（ｂ）は平面図、（ｃ）は底面図である。
【図３】図１に示す子供用歯ブラシに使用される歯ブラシ本体を示す図であり、（ａ）は正面図、（ｂ）は背面図、（ｃ）は左側面図、（ｄ）は右側面図である。
【図４】図１に示す子供用歯ブラシに使用される鍔部を示す図であり、（ａ）は斜視図、（ｂ）は正面図、（ｃ）は平面図、（ｄ）は背面図である。
【図５】図１に示す子供用歯ブラシの組み立て状態を示す斜視図であり、（ａ）は歯ブラシ本体に鍔部を装着する状態を説明する図であり、（ｂ）は（ａ）によって組み立てられた後の状態を示す図であり、（ｃ）は（ｂ）とは別の角度から見た状態を示す図である。
【図６】図１（ａ）のＡ−Ａ矢視部分断面図である。
【図７】図１に示す子供用歯ブラシの使用状態を示す図である。
【発明を実施するための形態】
【００１２】
以下、本発明を実施するための形態について、図面を参照しながら説明する。
【００１３】
本実施形態の子供用歯ブラシ１は、図１、２に示すとおり、歯ブラシ本体２と、これに着脱可能に装着される鍔部３とからなる。
【００１４】
図３に示すとおり、歯ブラシ本体２は、ネック部４１とヘッド部４２とからなるブラシ部４と、ハンドル部５とからなる。ハンドル部５は、胴体部５１と、頭部５２とからなり、全体が人形状、特に、本実施形態では子供の人形の外観を呈しており、同図（ａ）のような状態で立設（起立状態）可能に構成されている。このように構成したことにより、置き場所に困らず、さらに、置物やオブジェにもなり得る。また、頭部５２の頭頂部には、後述する鍔部３の嵌合孔３２と嵌合する嵌込み段差部５２１が設けられている。なお、ネック部４１の長さは、子供歯ブラシ１を使用した際に子供が喉をつかないような長さにするのが好適である。
【００１５】
図４に示すとおり、鍔部３は、円環状のブリム部３１と、その中央部分に形成された嵌合孔３２からなり、歯ブラシ本体２に着脱可能に装着されるように構成されている。このように構成したことにより、携帯する際には鍔部３を歯ブラシ本体２から取り外せば収納スペースを小さくできるので携帯性も良好となる。なお、後述するように、鍔部３は、歯ブラシ本体２に装着された際に、あたかも、子供の人形が帽子をかぶったような外観を呈するように構成されていることから、平面よりは円錐状に形成されていた方が好適である。
【００１６】
次いで、図５及び図６を参照して、歯ブラシ本体２と鍔部３との取り付け方について説明する。図５（ａ）に示すとおり、鍔部３の嵌合孔３にブラシ部４を挿入するように歯ブラシ本体２を移動させ、嵌合孔３に嵌込み段差部５２１を嵌め込むと歯ブラシ本体２に鍔部３が装着される。その結果、鍔部３が頭部５２の頭頂部に載置され、あたかも、子供の人形が帽子をかぶったような外観を呈するようになる。
【００１７】
図７には、子供用歯ブラシ１を手に持って使用する状態が図示されており、ハンドル部５を握った状態で、鍔部３が握りこぶしの上に略載置された状態で使用されることになる。このようにして使用することにより、歯磨きをした際に唾液や歯磨きが手に垂れるのを鍔部３が防いでくれる。また、鍔部３の存在により口内にブラシ部４が入る深さを規制できるので、いわゆる喉突きを防止することもできる。
【００１８】
以上説明したとおり、本実施形態に係る子供用歯ブラシ１においては、鍔部３を歯ブラシ本体２に対し着脱可能に構成したことにより、携帯する際には鍔部３を取り外せば収納スペースを小さくすることができ携帯性に優れている。また、鍔部３を取り外すことにより鍔部３の洗浄が容易となる。そのうえ、子供用歯ブラシ１は、子供の人形が帽子をかぶったような外観を呈していることから従来の歯ブラシに比して意匠性が高く、起立状態可能に構成されていることから、それ自体として置物やオブジェにもなり得る。さらに、子供用歯ブラシ１は鍔部３を有することにより、机上に置いた際にブラシ部４２が机面に着くのを防止することもできる。
【００１９】
なお、本実施形態においては、ハンドル部５１の外観を人形状としたが、これに限定されず、例えば、擬人化されたライオン、犬、猫等の動物形状であってもよい。
【符号の説明】
【００２０】
１      子供用歯ブラシ
２      歯ブラシ本体
３      鍔部
３１    ブリム部
３２    嵌合孔
４      ブラシ部
４１    ネック部
４２    ヘッド部
５      ハンドル部
５１    胴体部
５２    頭部
５２１  嵌込み段差部
【図１】
2019118659.tif 000003
【図２】
2019118659.tif 000004
【図３】
2019118659.tif 000005
【図４】
2019118659.tif 000006
【図５】
2019118659.tif 000007
【図６】
2019118659.tif 000008
【図７】
2019118659.tif 000009